(57)【要約】【課題】入力音声信号のレベルが大きくレベル変動した場合にも、そのレベル変化点における出力音声音量レベルの揺れを目立たなくして、違和感を軽減する。【解決手段】複数の音声成分からなる入力音声信号の、前記複数の音声成分の一部を主たる成分とする第１成分主体信号を、ゲイン制御して出力する第１成分ゲイン制御部と、前記第１成分ゲイン制御部において、前記第１成分主体信号の出力レベルを一定とするような第１成分ゲイン制御信号を生成する第１成分ゲイン制御信号生成部と、前記第１成分ゲイン制御信号に基づいて、前記入力音声信号の、前記第１成分以外の音声成分をゲイン制御して出力する他成分ゲイン制御部と、を備える。【選択図】図１
2011135600.tif 000002
【特許請求の範囲】
【請求項１】
複数の音声成分からなる入力音声信号の、前記複数の音声成分の一部を主たる成分とする第１成分主体信号を、ゲイン制御して出力する第１成分ゲイン制御部と、
前記第１成分ゲイン制御部において、前記第１成分主体信号の出力レベルを一定とするような第１成分ゲイン制御信号を生成する第１成分ゲイン制御信号生成部と、
前記第１成分ゲイン制御信号に基づいて、前記入力音声信号の、前記第１成分以外の音声成分をゲイン制御して出力する他成分ゲイン制御部と、
を備える音量補正装置。
【請求項２】
請求項１に記載の音量補正装置において、
前記第１成分ゲイン制御信号生成部で生成される前記第１成分ゲイン制御信号は、前記第１成分主体信号の出力レベルを、一定レベルにするものであると共に、
前記他成分ゲイン制御信号生成部は、前記第１成分ゲイン制御信号による補正ゲイン値が基準範囲内であるときには、前記第１成分以外の他の音声信号をそのままのレベルで出力するように制御し、前記第１成分ゲイン制御信号による補正ゲイン値が前記基準範囲外であるときには、前記他成分ゲイン制御信号の補正ゲインは、前記第１成分ゲイン制御信号による補正ゲインとの比が所定値に調整されたものとする
音量補正装置。
【請求項３】
請求項１に記載の音量補正装置において、
前記第１成分ゲイン制御信号生成部で生成される前記第１成分ゲイン制御信号は、前記第１成分主体信号の出力レベルを、一定レベルにするものであると共に、
前記他成分ゲイン制御部は、前記第１成分ゲイン制御信号による前記第１成分主体信号に対するゲイン補正に対して、遅れて追従する時間遅れ特性を持たせる他成分ゲイン制御信号を生成する
音量補正装置。
【請求項４】
請求項３に記載の音量補正装置において、
前記他成分ゲイン制御部は、前記他成分ゲイン制御信号による補正ゲイン値が、前記第１成分ゲイン制御信号による補正ゲイン値に対して所定の基準値を乗算した設定値を超えている場合には、前記他成分ゲイン制御信号による補正ゲイン値を前記設定値に固定するようにする
音量補正装置。
【請求項５】
請求項１〜４のいずれかに記載の音量補正装置において、
前記第１成分ゲイン制御部の出力信号と、前記他成分出力部の出力信号とを加算した加算出力信号を、音量補正後の音声出力信号とする
音量補正装置。
【請求項６】
請求項１〜４のいずれかに記載の音量補正装置において、
前記入力音声信号から、第１成分主体信号を分離して前記第１成分ゲイン制御部に供給する第１の分離部と、
前記入力音声信号から、前記第１成分主体信号を減算することにより、前記第１成分以外の他の音声成分を主体とする第２成分主体信号を分離して、前記他成分出力部に供給する第２の分離部と、
前記第１成分ゲイン制御部の出力信号と、前記他成分出力部の出力信号とを加算して、その加算出力信号を、音量補正出力信号とする加算部と、
を備える音量補正装置。
【請求項７】
請求項１〜４のいずれかに記載の音量補正装置において、
前記入力音声信号は、複数チャンネルの音声信号からなり、
前記第１成分主体信号は、前記複数チャンネルの音声信号の１チャンネルの信号である
音量補正装置。
【請求項８】
請求項１〜６のいずれかに記載の音量補正装置において、
前記第１成分主体信号は、人声信号を主たる成分とするものである
音量補正装置。
【請求項９】
請求項７に記載の音量補正装置において、
前記第１成分主体信号は、センターチャンネルの信号である
音量補正装置。
【請求項１０】
請求項１に記載の音量補正装置において、
前記第１成分主体信号は、前記入力音声信号のセンター集中定位信号である音量補正装置。
【請求項１１】
複数の音声成分からなる入力音声信号の、前記複数の音声成分の一部を主たる成分とする第１成分主体信号を、第１のゲイン制御態様でゲイン制御して出力すると共に、
前記第１成分主体信号の出力レベルを一定とするような第１成分ゲイン制御信号を生成し、
前記第１成分ゲイン制御信号に基づいて、前記入力音声信号の、前記第１成分以外の音声成分をゲイン制御して出力する
音量補正方法。
【請求項１２】
入力音声信号のゲインを制御して音量補正する音量補正装置であるコンピュータを、
複数の音声成分からなる入力音声信号の、前記複数の音声成分の一部を主たる成分とする第１成分主体信号を、ゲイン制御して出力する第１成分ゲイン制御部と、
前記第１成分ゲイン制御部において、前記第１成分主体信号の出力レベルを一定とするような第１成分ゲイン制御信号を生成する第１成分ゲイン制御信号生成部と、
前記第１成分ゲイン制御信号に基づいて、前記入力音声信号の、前記第１成分以外の音声成分をゲイン制御して出力する他成分ゲイン制御部と、
として機能させる音量補正プログラム。
【発明の詳細な説明】
【技術分野】
【０００１】
この発明は、例えばテレビ放送受信機などに代表される電子機器の音声出力部に適用して好適な音量補正装置、音量補正方法および音量補正プログラムに関する。
【背景技術】
【０００２】
テレビ放送受信機で受信する放送チャンネルを切り替えたときや、ＡＶ（Audio−Visual）システムにおいて、ＡＶセンタで複数の入力機器の切り替えがなされたとき、コンテンツ間のレベル差により、出力音量に大きな変化が生じてしてしまうことがある。
【０００３】
このような場合、ユーザは、自分が好みの音量にするためには、リモコン等を用いてボリューム操作をして音量調節する必要があり、わずらわしさを感じる場合がある。
【０００４】
また、同一コンテンツ内（例えば、同一の放送チャンネル内や同一の放送番組内）においても、コマーシャル（ＣＭ）部分やシーンの変化によって、出力音量が変化し、不快に思うことがある。
【０００５】
この問題を解決する音量補正方式が従来から種々提案されている。その一例のＡＧＣ（Auto  Gain  Control；自動利得制御）による音量制御方式が広く知られている。
【０００６】
図２８は、このＡＧＣを用いた音量補正部の構成例を示すブロック図である。この図２８の例は、左右２チャンネルの入力音声信号ＳｉＬおよびＳｉＲについて音量補正をする場合である。
【０００７】
すなわち、この例においては、左右２チャンネルの入力音声信号ＳｉＬおよびＳｉＲは、それぞれ、ゲイン制御信号によりゲインが可変制御される可変ゲインアンプ１Ｌおよび１Ｒに供給される。
【０００８】
また、左右２チャンネルの入力音声信号ＳｉＬおよびＳｉＲは、加算部２で互いに加算される。そして、加算部２からの加算出力信号は、アンプ３にて１／２ゲイン倍された後、平均レベル検出部４に供給され、この平均レベル検出部４で、加算出力信号の平均レベルが検出される。
【０００９】
そして、平均レベル検出部４で検出された平均レベルがゲイン制御信号生成部５に供給される。このゲイン制御信号生成部５では、平均レベル検出部４からの平均レベルと、予め定められている基準レベルと比較し、その比較結果を用いて両レベルの差がゼロとなるようにするゲイン制御信号を生成し、可変ゲインアンプ１Ｌ，１Ｒに供給する。
【００１０】
可変ゲインアンプ１Ｌ，１Ｒは、ゲイン制御信号生成部５からのゲイン制御信号によりゲインが可変制御される。この場合、左右２チャンネルの入力音声信号ＳｉＬおよびＳｉＲは、この可変ゲインアンプ１Ｌ，１Ｒにおいて、前記加算部２からの加算出力信号の平均レベルが基準レベルと等しくなるようにゲイン制御される。
【００１１】
この結果、可変ゲインアンプ１Ｌ，１Ｒから得られる左右２チャンネルの出力音声信号ＳｏＬおよびＳｏＲは、小さな音は大きく、大きな音は小さく抑えられて、自動的に一定レベルの音量になるように補正される。
【００１２】
上述したＡＧＣによる音量補正方式の他にも、種々の音量補正方式が提案されている。  例えば、特許文献１（特許３３２１８２０号公報）には、コンプレッサーを設け、大レベルの音声入力があった場合には、入力レベルに対して出力音声レベルを小さく制御し、音量をある一定の範囲に制御するようにする方式が開示されている。
【先行技術文献】
【特許文献】
【００１３】
【特許文献１】特許３３２１８２０号公報
【発明の概要】
【発明が解決しようとする課題】
【００１４】
上述した従来の音量補正方式は、音声信号全体のレベルを監視して音量制御を行う方式である。例えばＡＧＣ方式の場合、音声信号全体の平均レベルを基準にして、音量制御（ゲイン制御）を行った場合、音声信号全体としての音量制御がなされ、うるさい音を出さないようにしたり、聞こえなかった小さな音を聞こえるようにしたりすることができる。
【００１５】
ところで、例えばテレビ放送受信におけるチャンネル切り替え時や、ＡＶセンタで複数の入力機器の切り替え時、また、コマーシャル（ＣＭ）部分やシーンの変化時には、その変化の前後で音声信号に大きなレベル差が生じることがある。
【００１６】
このように、入力音声信号のレベルが大きくレベル変動した場合に、そのレベル変化点での音声信号ゲインの急激な変化を完全に抑えることは困難であり、前記レベル変化点で出力音声音量レベルが揺れるなど、聴取者に、聴感上、違和感を与える場合がある。
【００１７】
特に、従来の音量補正方式では、音声信号全体を一律に同様にゲイン制御する方式であるため、前記の急激な変化点での音量レベルの揺れに対する違和感が目立つと言う問題があった。
【００１８】
この発明は、上記の点に鑑みて、入力音声信号のレベルが大きくレベル変動した場合にも、そのレベル変化点における出力音声音量レベルの揺れを目立たなくして、違和感を軽減することができる音量補正装置および方法を提供することを目的とする。
【課題を解決するための手段】
【００１９】
上記の課題を解決するために、この発明は、複数の音声成分からなる入力音声信号の、前記複数の音声成分の一部を主たる成分とする第１成分主体信号を、ゲイン制御して出力する第１成分ゲイン制御部と、前記第１成分ゲイン制御部において、前記第１成分主体信号の出力レベルを一定とするような第１成分ゲイン制御信号を生成する第１成分ゲイン制御信号生成部と、前記第１成分ゲイン制御信号に基づいて、前記入力音声信号の、前記第１成分以外の音声成分をゲイン制御して出力する他成分ゲイン制御部と、を備える音量補正装置を提供する。
【００２０】
また、前記音量補正装置において、前記第１成分ゲイン制御信号生成部で生成される前記第１成分ゲイン制御信号は、前記第１成分主体信号の出力レベルを、一定レベルにするものであると共に、前記他成分ゲイン制御信号生成部は、前記第１成分ゲイン制御信号による補正ゲイン値が基準範囲内であるときには、前記第１成分以外の他の音声信号をそのままのレベルで出力するように制御し、前記第１成分ゲイン制御信号による補正ゲイン値が前記基準範囲外であるときには、前記他成分ゲイン制御信号の補正ゲインは、前記第１成分ゲイン制御信号による補正ゲインとの比が所定値に調整されたものとする。
【００２１】
また、前記音量補正装置において、前記第１成分ゲイン制御信号生成部で生成される前記第１成分ゲイン制御信号は、前記第１成分主体信号の出力レベルを、一定レベルにするものであると共に、前記他成分ゲイン制御部は、前記第１成分ゲイン制御信号による前記第１成分主体信号に対するゲイン補正に対して、遅れて追従する時間遅れ特性を持たせる他成分ゲイン制御信号を生成する。
【００２２】
また、前記音量補正装置において、前記他成分ゲイン制御部は、前記他成分ゲイン制御信号による補正ゲイン値が、前記第１成分ゲイン制御信号による補正ゲイン値に対して所定の基準値を乗算した設定値を超えている場合には、前記他成分ゲイン制御信号による補正ゲイン値を前記設定値に固定するようにする。
【００２３】
また、前記音量補正装置において、前記第１成分ゲイン制御部の出力信号と、前記他成分出力部の出力信号とを加算した加算出力信号を、音量補正後の音声出力信号とする。
【発明の効果】
【００２４】
この発明によれば、第１成分主体信号と、第１成分以外の他成分の音声信号とが、異なるゲイン制御態様で出力されるので、入力音声信号のレベルが大きく変動したレベル変化点での音量レベルの揺れが目立たなくなり、違和感が軽減される。
【図面の簡単な説明】
【００２５】
【図１】この発明による音量補正装置の第１の実施形態を説明するためのブロック図である。
【図２】この発明による音量補正装置が適用される電子機器の例を説明するためのブロック図である。
【図３】この発明による音量補正装置の第１の実施形態の動作説明のために用いる波形図である。
【図４】図１の実施形態におけるセンター集中定位信号生成部の構成例を示すブロック図である。
【図５】図１の実施形態におけるセンター集中定位信号生成部の他の構成例を示すブロック図である。
【図６】図５の例のセンター集中定位信号生成部の一部の構成例を説明するためのブロック図である。
【図７】図６の構成例の各部を説明するために用いる図である。
【図８】図６の構成例の各部を説明するために用いる図である。
【図９】図６の構成例の各部を説明するために用いる図である。
【図１０】図６の構成例の各部を説明するために用いる図である。
【図１１】図６の構成例の各部を説明するために用いる図である。
【図１２】図６の構成例の各部を説明するために用いる図である。
【図１３】図６の構成例の各部を説明するために用いる図である。
【図１４】この発明による音量補正装置の第２の実施形態を説明するためのブロック図である。
【図１５】第２の実施形態における臨場音レベル補正ゲイン生成部の第１の構成例を示すブロック図である。
【図１６】臨場音レベル補正ゲイン生成部の第１の構成例を説明するために用いる図である。
【図１７】臨場音レベル補正ゲイン生成部の第１の構成例における処理動作を説明するためのフローチャートを示す図である。
【図１８】臨場音レベル補正ゲイン生成部の第１の構成例を用いたこの発明による音量補正装置の第２の実施形態の動作説明のために用いる波形図である。
【図１９】臨場音レベル補正ゲイン生成部の第１の構成例を用いたこの発明による音量補正装置の第２の実施形態の変形例を示すブロック図である。
【図２０】第２の実施形態における臨場音レベル補正ゲイン生成部の第２の構成例を示すブロック図である。
【図２１】臨場音レベル補正ゲイン生成部の第２の構成例を用いたこの発明による音量補正装置の第２の実施形態の動作説明のために用いる波形図である。
【図２２】第２の実施形態における臨場音レベル補正ゲイン生成部の第３の構成例を示すブロック図である。
【図２３】臨場音レベル補正ゲイン生成部の第３の構成例を用いたこの発明による音量補正装置の第２の実施形態の動作説明のために用いる波形図である。
【図２４】この発明による音量補正装置の他の実施形態を説明するためのブロック図である。
【図２５】この発明による音量補正装置の他の実施形態を説明するためのブロック図である。
【図２６】この発明による音量補正装置の他の実施形態を説明するためのブロック図である。
【図２７】この発明による音量補正装置が適用される他の電子機器の例を示す図である。
【図２８】従来の音量補正装置を説明するためのブロック図である。
【発明を実施するための形態】
【００２６】
以下、この発明による音量補正装置の実施形態を、図面を参照しながら説明する。以下に説明する音量補正装置の実施形態は、テレビ放送受信機の音声出力部に用いられた場合である。
【００２７】
すなわち、図２は、テレビ放送受信機の構成例を示すブロック図である。この図２の例のテレビ放送受信機は、マイクロコンピュータを具備して構成される制御部１０を備える。この制御部１０には、リモコン受信部１１が接続され、このリモコン受信部１１でリモコン送信機１２からのリモコン信号を受けて、制御部１０に伝達する。制御部１０は、受信したリモコン信号に応じた処理制御を実行する。
【００２８】
制御部１０は、テレビ放送受信機の各部に対して制御信号を供給して、テレビ放送信号の受信およびその映像再生および音声再生の処理を実行する。
【００２９】
チューナ部１３は、制御部１０からのユーザのリモコン操作に応じたチャンネル選択制御信号により指定される放送チャンネルの信号を、テレビ放送波信号から選択抽出する。そして、チューナ部１３は、選択抽出した放送チャンネルの信号から、映像信号と、音声信号とを復調デコードし、映像信号は映像信号処理部１４に供給し、音声信号は、音声信号処理部１５に供給する。
【００３０】
映像信号処理部１４では、制御部１０からの制御を受けて、映像信号についての所定の処理をし、その処理後の映像信号を表示制御部１６を通じて、例えばＬＣＤ（Liquid  Crystal  Display）からなるディスプレイ１７に供給する。これにより、選択された放送チャンネルの放送番組の画像がディスプレイ１７に表示される。
【００３１】
また、音声信号処理部１５では、制御部１０からの制御を受けて、音声信号についての所定の処理をする。この実施形態では、音声信号処理部１５では、チューナ部１３からの音声信号から、左右２チャンネルの音声信号ＳｉＬおよびＳｉＲを生成し、その処理後の音声信号ＳｉＬおよびＳｉＲを音量補正部１８に供給する。
【００３２】
音量補正部１８は、この実施形態の音量補正装置が適用される部分であり、その入力音声信号ＳｉＬおよびＳｉＲは、後述するようにして、音量補正され、出力音声信号ＳｏＬおよびＳｏＲとし出力される。そして、この音量補正部１８からの出力音声信号ＳｏＬおよびＳｏＲが、スピーカ１９Ｌおよび１９Ｒに供給されて、音響再生される。これにより、選択された放送チャンネルの放送番組の音声がスピーカ１９Ｌおよび１９Ｒから放音される。
【００３３】
以下、この音量補正部１８の場合として、この実施形態の音量補正装置について説明する。
【００３４】
［音量補正装置の第１の実施形態］
図１は、この発明の音量補正装置の第１の実施形態としての音量補正部１８の全体の構成例を示すブロック図である。
【００３５】
この第１の実施形態では、入力音声信号は、左右２チャンネルの音声信号とされる。そして、第１成分主体信号は、左右２チャンネルの音声信号中の主として人声成分を主体とする信号（以下、声主体信号という）とされる。また、第１成分以外の他の音声成分は、左右２チャンネルの音声信号のうちの、この声主体信号以外の、いわゆる臨場音とされる。この臨場音を主体とする信号を、以下、臨場音主体信号という。
【００３６】
この図１に示すように、この第１の実施形態においては、左右２チャンネルの入力音声信号ＳｉＬおよびＳｉＲは、声主体信号と臨場音主体信号との分離部２０に供給される。この例の分離部２０は、センター集中定位信号検出部２１と、２個の減算部２２，２３とからなる。
【００３７】
センター集中定位信号検出部２１には、左右２チャンネルの入力音声信号ＳｉＬおよびＳｉＲが共に供給され、左右チャンネルの中央（センター）に定位するセンター集中定位信号として、声主体信号Ｓｖを検出する。センター集中定位信号検出部２１で検出された声主体信号Ｓｖは、減算部２２および２３に供給される。
【００３８】
減算部２２では、左チャンネルの音声信号ＳｉＬから、声主体信号Ｓｖが減算されて、左チャンネルの臨場音主体信号ＳｓＬが得られる。また、減算部２３では、右チャンネルの音声信号ＳｉＲから、声主体信号Ｓｖが減算されて、右チャンネルの臨場音主体信号ＳｓＲが得られる。
【００３９】
こうして、分離部２０では、２チャンネル音声信号ＳｉＬおよびＳｉＲから、声主体信号Ｓｖと、左右チャンネルの臨場音主体信号ＳｓＬおよびＳｓＲとが分離されて得られる。
【００４０】
そして、この分離部２０からの声主体信号Ｓｖは、第１成分ゲイン制御手段の例としての可変ゲインアンプ２４を通じて加算部２７および２８に供給されると共に、声レベル補正ゲイン生成部３０に供給される。
【００４１】
この例では、声レベル補正ゲイン生成部３０は、平均レベル検出部３１と、ゲイン制御信号生成部３２とからなる。平均レベル検出部３１は、声主体信号Ｓｖの平均レベルを検出して、その検出した平均レベルをゲイン制御信号生成部３２に供給する。
【００４２】
ゲイン制御信号生成部３２は、声主体信号Ｓｖの平均レベルが、予め定めた基準レベルとなるようにするためのゲイン制御信号（声レベル補正ゲイン値）Ｇｖを生成する。そして、ゲイン制御信号生成部３２は、生成したゲイン制御信号Ｇｖを可変ゲインアンプ２４に供給する。
【００４３】
したがって、可変ゲインアンプ２４においては、ゲイン制御信号Ｇｖにより、声主体信号Ｓｖのレベルが大きく変動しても、当該声主体信号の平均レベルが一定レベル（基準レベル）になるようにゲイン制御される。こうして、可変ゲインアンプ２４から出力される補正後声主体信号Ｓｖｃの出力レベルは、自動的に一定レベルとされる。そして、この一定レベルとされた補正後声主体信号Ｓｖｃが、加算部２７および２８に供給される。
【００４４】
一方、減算部２２からの左チャンネルの臨場音主体信号ＳｓＬは、ゲインが「１」のアンプ２５を通じて、そのままのレベルで加算部２７に供給される。また、減算部２３からの右チャンネルの臨場音主体信号ＳｓＲは、ゲインが「１」のアンプ２６を通じて、そのままのレベルで加算部２８に供給される。
【００４５】
そして、加算部２７において、左チャンネルの臨場音主体信号ＳｓＬと補正後声主体信号Ｓｖｃとが加算され、その加算出力として、音量補正された左チャンネルの出力音声信号ＳｏＬが出力される。
【００４６】
また、加算部２８において、右チャンネルの臨場音主体信号ＳｓＲと補正後声主体信号Ｓｖｃとが加算され、その加算出力として、音量補正された右チャンネルの出力音声信号ＳｏＲが出力される。
【００４７】
例えば、センター集中定位信号検出部２１からの声主体信号Ｓｖおよび臨場音主体信号ＳｓＬまたはＳｓＲが、図３（Ａ）および（Ｂ）に示すようなレベル変動を有するものとする。
【００４８】
このとき、声レベル補正ゲイン生成部３０からのゲイン制御信号Ｇｖによる可変ゲインアンプ２４での声レベル補正ゲインは、図３（Ｃ）に示すようなものとなる。これにより、可変ゲインアンプ２４からの補正後声主体信号Ｓｖｃは、図３（Ｅ）に示すような一定レベルの信号になるようにされる。
【００４９】
一方、この例では、臨場音主体信号ＳｓＬおよびＳｓＲは、図３（Ｄ）に示すようなゲイン「１」の固定ゲインのアンプ２５，２６を通じてそのままのレベルとされるので、アンプ２５，２６の出力信号は、図３（Ｆ）に示すように、図３（Ｂ）に示したものと同じレベル変動を有するものとなる。
【００５０】
以上のようにして、加算部２７および２８に、その一方の入力として供給される声主体信号Ｓｖｃは、出力レベルが一定となるようにする第１のゲイン制御態様でゲイン補正される。このため、課題の欄で述べたように、入力音声信号ＳｉＬ，ＳｉＲに大きなレベル変化があったときには、その変化点において音量レベルに揺れが生じる場合がある。
【００５１】
一方、加算部２７および２８に、その他方の入力として供給される左チャンネルの臨場音主体信号ＳｓＬおよび右チャンネルの臨場音主体信号ＳｓＲは、この例では、固定ゲイン「１」という第２のゲイン制御態様で、そのままのレベルとなっている。したがって、入力音声信号が有する元々のレベル変動は有するが、第１のゲイン制御態様によるゲイン制御による音量レベルの揺れは発生しない。
【００５２】
したがって、加算部２７および２８からの左右チャンネルの出力音声信号ＳｏＬ、ＳｏＲは、補正後声主体信号Ｓｖｃの音量レベルの揺れが、左チャンネルの臨場音主体信号ＳｓＬおよび右チャンネルの臨場音主体信号ＳｓＲによりマスキングされるようになる。このため、声主体信号Ｓｖｃの音量レベルの揺れが、目立たなくなり、聴取者に対する違和感が軽減される。
【００５３】
以上のようにして、この実施形態によれば、声主体信号を、素早く適正レベルに遷移させることによって、人声のレベルの一定感を保ち、台詞などの人声を聞き易くすることができる。さらに、この第１の実施形態では、臨場音主体信号は、ゲイン「１」として、元のレベルを変化させないことによって臨場感が一定に保たれるため、レベルを変えることによる違和感が軽減され、これによってより自然なレベル遷移を実現することができるようになる。
【００５４】
なお、この第１の実施形態は、声主体信号レベルの変化量が少ない場合に有効である。
【００５５】
なお、以上の例では、左右２チャンネル用のスピーカにより音声信号を音響再生する場合であるので、加算部２７，２８を設けるようにした。しかし、左右２チャンネル用のスピーカに加えて、センターチャンネル用のスピーカを設けた場合には、補正後声主体信号をセンターチャンネル用スピーカに供給し、アンプ２５，２６の出力音声信号を左右２チャンネル用のスピーカに供給するようにしても良い。この場合には、センターチャンネル用のスピーカの放音音声と、左右２チャンネル用のスピーカの放音音声とが、音響的に合成されることにより、第１のゲイン制御態様によるゲイン制御による音量レベルの揺れがマスキングされ、目立たなくなる。
【００５６】
［センター集中定位信号検出部２１の構成例］
＜第１の例＞
図４は、センター集中定位信号検出部２１の第１の構成例を示すものである。この例においては、センター集中定位信号検出部２１は、加算部２１１と、固定ゲイン「０．５」のアンプ２１２とからなる。
【００５７】
そして、この例のセンター集中定位信号検出部２１においては、左右チャンネルの入力音声信号ＳｉＬ，ＳｉＲが加算部２１１で加算され、その加算出力信号がアンプ２１２を通じて出力される。このアンプ２１２の出力信号が声主体信号Ｓｖとされる。
【００５８】
なお、この第１の例の場合には、声主体信号Ｓｖの平均値は、左右チャンネルの入力音声信号ＳｉＬ，ＳｉＲの加算信号の平均値に等しくなる。そして、声レベル補正ゲイン生成部３０は、声主体信号Ｓｖの平均値が一定レベルとなるようにゲイン制御信号Ｇｖを生成する。よって、この第１の例の場合には、声レベル補正ゲイン生成部３０は、左右チャンネルの入力音声信号ＳｉＬ，ＳｉＲの加算信号、つまり、入力音声信号全体のレベルが一定レベルとなるようにゲイン制御信号Ｇｖを生成していることにもなる。
【００５９】
＜第２の例＞
図５は、センター集中定位信号検出部２１の第２の構成例を示すものである。この第２の例は、第１の例の出力をそのまま出力するのではなく、第１の例の出力よりも、さらにセンター定位成分のみの成分に応じた信号を得るようにする例である。
【００６０】
この例においては、センター集中定位信号検出部２１は、第１の例の加算部２１１および固定ゲイン「０．５」のアンプ２１２に加えて、ゲイン調整アンプ２１３と、センター集中定位率検出部２１４とを備える。
【００６１】
この例のセンター集中定位信号検出部２１においては、アンプ２１２の出力信号はゲイン調整アンプ２１３に供給され、このゲイン調整アンプ２１３の出力信号が声主体信号Ｓｖとされる。
【００６２】
そして、この例のセンター集中定位信号検出部２１においては、左右チャンネルの入力音声信号ＳｉＬ，ＳｉＲは、センター集中定位率検出部２１４にも供給される。このセンター集中定位率検出部２１４においては、入力音声全体に対するセンターに集中的に定位する信号の割合に応じて、ゲイン調整アンプ２１３のゲインを制御するゲイン制御信号Ｇａｔが生成される。
【００６３】
そして、センター集中定位率検出部２１４からのゲイン制御信号Ｇａｔにより、ゲイン調整アンプ２１３のゲインが制御されることで、声主体信号Ｓｖは、アンプ２１２の出力のうち、センターに集中的に定位する率に応じた信号成分からなるものとなる。つまり、この第２の例の声主体信号Ｓｖは、第１の例よりも、さらにセンターに集中的に定位する信号成分からなる信号となる。
【００６４】
センター集中定位率検出部２１４は、例えば図６に示すような構成を有するものとすることができる。
【００６５】
すなわち、センター集中定位率検出部２１４は、帯域制限フィルタ２１４１，２１４２と、定位方向検出部２１４３と、定位方向分布計測部２１４４と、センターゲイン制御信号生成部２１４５とを備えて構成される。
【００６６】
センター集中定位率検出部２１４に入力された左右２チャンネルの入力音声信号ＳｉＬおよびＳｉＲは、それぞれ帯域制限フィルタ２１４１，２１４２において、例えば低域成分等、定位方向をあまり感じない周波数帯域の成分が除去される。
【００６７】
そして、帯域制限フィルタ２１４１，２１４２により帯域制限された２チャンネルの入力音声信号ＳｉＬおよびＳｉＲは、定位方向検出部２１４３に供給される。定位方向検出部２１４３は、帯域制限された２チャンネルの入力音声信号ＳｉＬおよびＳｉＲのそれぞれのレベルの大きさにより、所定の周期毎の定位方向の検出時点における２チャンネルの入力音声信号ＳｉＬおよびＳｉＲが持つ定位方向を検出する。
【００６８】
すなわち、定位方向検出部２１４３においては、所定のサンプリング周期で、帯域制限された２チャンネルの入力オーディオ信号ＳｉＬおよびＳｉＲのそれぞれのレベル（振幅）をサンプリングする。そして、定位方向検出部２１４３においては、この例では、最新サンプリング時点における定位方向を現時点における定位方向として検出するようにする。
【００６９】
この場合、定位方向検出部２１４３は、当該最新サンプリング時点における定位方向を、入力音声信号ＳｉＬおよびＳｉＲのそれぞれについての、当該最新サンプリング時点のレベルと、それよりも過去のサンプリング時点のレベルとを用いて検出する。
【００７０】
２チャンネルの入力音声信号ＳｉＬおよびＳｉＲが、デジタルオーディオ信号であれば、前記サンプリング周期は、デジタルオーディオ信号のサンプル周期に等しくすることができる。もっとも、前記サンプリング周期を、デジタルオーディオ信号の１サンプル周期と等しくするのではなく、複数サンプル周期とするようにしてもよい。定位方向検出部２１４３の入力音声信号がアナログ信号である場合には、この定位方向検出部２１４３の入力段において、デジタルオーディオ信号に変換するようにしても良い。
【００７１】
この定位方向検出部２１４３における定位方向の検出方法を、図７を参照しながら説明する。図７（Ａ），（Ｂ）は、左チャンネルの入力音声信号ＳｉＬの振幅をＸ軸にとり、右チャンネルの入力音声信号ＳｉＲの振幅をＹ軸にとった場合の座標空間を示している。
【００７２】
定位方向検出部２１４３では、まず、各サンプリング周期毎の定位方向の検出時点において２チャンネルの入力音声信号ＳｉＬおよびＳｉＲのそれぞれのレベルを取得して、それに対応する座標点を、図７（Ａ），（Ｂ）の座標空間に、例えばＰ１，Ｐ２，Ｐ３，Ｐ４のように、プロットしてゆく。この例では、Ｐ４が最新の検出時点の座標点であるとする。
【００７３】
そして、定位方向検出部２１４３では、ｙ＝ｋ・ｘ（ｋは定数）で表される直線（Ｘ軸とＹ軸との交点Ｚを通る直線）を、交点Ｚを中心として±９０°回転させたときに、つまり、定数ｋを変化させたときに、プロットした座標点Ｐ１，Ｐ２，Ｐ３，Ｐ４が、どの定数ｋの直線（どの傾き角度の直線）の一番近くを移動してゆくかを算出する。つまり、定数ｋを変えた各直線からの各座標点Ｐ１，Ｐ２，Ｐ３，Ｐ４までの距離Ｄａ１，Ｄａ２，Ｄａ３，Ｄａ４あるいは距離Ｄｂ１，Ｄｂ２，Ｄｂ３，Ｄｂ４の総和が最も小さい直線の定数ｋを算出する。
【００７４】
そして、定位方向検出部２１４３は、算出した直線の定数ｋに対応する傾き角度を、検出したい現時点における定位方向とする。図７の例では、Ｘ軸、つまり、左チャンネルの定位方向（左方向）の角度を０°として、このＸ軸に対する角度（以下、定位角度という）θを定位方向として検出することとする。
【００７５】
図７（Ａ）の場合の座標点Ｐ１，Ｐ２，Ｐ３，Ｐ４の例では、定位角度はθａとして検出され、図７（Ｂ）の場合の座標点Ｐ１，Ｐ２，Ｐ３，Ｐ４の例では、定位角度はθｂとして検出されるものである。
【００７６】
なお、この実施形態では、定位方向検出部２１４３においては、現時点（最新サンプリング時点）の２チャンネル入力音声信号のレベルと、過去のサンプリング時点における２チャンネル入力音声信号のレベルとは等しい重みで用いてはいない。この実施形態では、定位方向検出部２１４３においては、現時点に近いサンプリング時点の２チャンネル入力音声信号のレベルほど重みが大きいものとするようにしている。
【００７７】
このため、定位方向検出部２１４３では、２チャンネル入力音声信号のレベルのサンプリング値に対して、図８に示すように、現時点（この例では最新サンプリング時点ｔｎ）に近いほど、重みが大きくなるように、指数関数曲線の特性を有する時間ウインドーＷＤ１が用いられている。
【００７８】
なお、上述の説明では、処理対象信号時点となる現時点を最新サンプリング時点（最新サンプル時点）とした。しかし、可変ゲインアンプ２４およびアンプ２５，２６の入力側に所定時間τだけ遅延させる遅延回路を設けて、処理対象となる現時点を、入力音声信号ＳｉＬ，ＳｉＲよりも前記τだけ遅延した時点とすることができる。
【００７９】
その場合には、定位方向検出部２１４３では、処理対象信号時点となる現時点よりも後（未来）の２チャンネル入力音声信号ＳｉＬ，ＳｉＲをも用いて、定位方向を検出するようにすることができる。例えば、図７の例で、処理対象信号時点となる現時点がＰ２やＰ３の場合とすることができる。
【００８０】
そして、その場合には、前述した時間ウインドーＷＤ１の代わりに、図９に示すような指数関数曲線の特性の時間ウインドーＷＤ２が用いられる。この時間ウインドーＷＤ２は、処理対象信号時点となる現時点ｔｐで最も重みが大きく、現時点ｔｐから離れるにつれ、過去および未来の方向に重みが小さくなるような指数関数曲線の特性を有するものである。
【００８１】
なお、現時点の２チャンネル入力オーディオ信号のレベルを、過去および／または未来のサンプリング時点における２チャンネル入力音声信号ＳｉＬ，ＳｉＲのレベルを重み付けせずに、そのままの値で用いても良い。
【００８２】
以上のようにして、定位方向検出部２１４３では、現時点においては、２チャンネル入力音声信号ＳｉＬ，ＳｉＲが、どの方向からの信号であるかを、定位角度θとして検出することができる。
【００８３】
しかしながら、検出した現時点における定位角度θは、１時点における入力オーディオ信号の定位方向を一方向に限定したもので、各方向ごとの信号の強さが反映されていない。そこで、この実施形態では、この点にかんがみ、定位方向検出部２１４３で検出された現時点における２チャンネル入力音声信号ＳｉＬ，ＳｉＲの定位方向の検出結果（定位角度θ）は、定位方向分布計測部２１４４に供給される。
【００８４】
定位方向分布計測部２１４４では、予め定められた所定時間区間ｄに渡って定位方向検出部２１４３で検出された定位角度θの、全方位についての分布を求め、２チャンネル入力音声信号の定位方向が、どの角度方向にどのくらいの割合を持っているかを計測する。
【００８５】
この場合、所定時間区間ｄは、例えば数ミリ秒〜数百ミリ秒、この例では数１０ミリ秒に選定されている。そして、この実施形態では、定位方向分布計測部２１４４では、この所定時間区間ｄにおける定位方向検出部２１４３で検出された定位角度θに対して、定位方向検出部２１４３における重み係数の特性と同様に重み付けをするようにする。
【００８６】
すなわち、定位方向分布計測部２１４４では、現時点ｔｐ（この例では、ｔｐ＝ｔｎ（最新サンプリング時点））に近づくほど指数関数的に大きくなるような重み付けをする時間ウインドーＷＤ３（図１０参照）をかけて重み付けをするようにする。
【００８７】
なお、前述したように、入力オーディオ信号に対して遅延時間τを設けるようにして、定位方向検出部２１４３での重み付けのための時間ウインドーを、図９のようにする場合には、定位方向分布計測部２１４４における時間ウインドーも、図９と同様なものとなる。その場合の時間区間ｄは、現時点ｔｐより未来と過去の両方を含む時間区間となるものである。なお、重み付けをせずに、そのままの値で用いてもよい。
【００８８】
図１１は、この定位方向分布計測部２１４４で求められた定位角度θの分布である定位方向分布Ｐ（θ）の一例を示すもので、横軸にはＸ軸（左チャンネル定位方向）を基準にした定位角度θをとり、縦軸には各定位角度の出現度（＜１）をとったものである。ここで、この実施形態では、定位方向分布Ｐ（θ）をすべての定位角度θについて総和を求めたときに１、すなわち、
ΣＰ（θ）＝１
となるように分布が生成される。
【００８９】
また、定位角度θと、音声信号の定位方向との関係は、図１２に示すようなものとなる。なお、図１２に示されている正面方向、左方向、右方向などは、リスナを基準にした方向名である。
【００９０】
以上のようにして、定位方向分布計測部２１４４からは、現時点（現サンプリング時点あるいは現サンプル時点；処理対象信号時点）ごとに、図１１に示すような定位方向分布Ｐ（θ）の情報が得られる。
【００９１】
この定位方向分布Ｐ（θ）の情報は、センターゲイン制御信号生成部２１４５に供給される。センターゲイン制御信号生成部２１４５では、定位方向分布計測部２１４４によって算出された定位方向分布Ｐ（θ）から、センターに集中的に定位する信号ほど、ゲインが大きく、その他では、ゲインが小さくなるセンターゲイン制御信号を生成する。
【００９２】
センターゲイン制御信号生成部２１４５は、図示を省略するゲインテーブルメモリを備えている。このゲインテーブルメモリには、ゲイン調整アンプ２１３に供給するゲイン制御信号を生成するためのゲインテーブル情報Ｋ（θ）が予め記憶されている。
【００９３】
このゲインテーブル情報Ｋ（θ）は、定位角度のすべて（−４５°〜１３５°）に対して、センター定位方向に重み付けが施されたゲイン特性とされている。図１３に、このゲインテーブル情報Ｋ（θ）の例を示す。
【００９４】
すなわち、ゲインテーブル情報Ｋ（θ）は、この例では、図１３に示すように、正面方向（センター方向；θ＝４５°）のときにゲインが最大の「１」となる。そして、センター方向よりも左方向の定位角度範囲（０°〜４５°）およびセンター方向よりも左方向の定位角度範囲（４５°〜９０°）では、センター方向から遠ざかるにしたがってゲインが小さくなるようなゲイン特性とされる。
【００９５】
センターゲイン制御信号生成部２１４５では、定位方向分布計測部２１４４で求められた定位方向分布Ｐ（θ）の情報と、ゲインテーブル情報Ｋ（θ）のゲイン値との、すべての定位角度についての積の総和を算出する。
【００９６】
すなわち、センターゲイン制御信号生成部２１４５は、
Ｇａｔ＝Σ（Ｋ（θ）×Ｐ（θ））
として、ゲイン制御信号Ｇａｔを生成する。
【００９７】
こうしてセンターゲイン制御信号生成部２１４５で生成されたゲイン制御信号Ｇａｔは、センター集中定位率検出部２１４の出力として、ゲイン調整アンプ２１３に供給される。
【００９８】
したがって、ゲイン調整アンプ２１３からは、第１の例よりも、さらにセンターに集中的に定位する信号成分からなる声主体信号Ｓｖが得られる。
【００９９】
なお、センター集中定位信号検出部２１としては、上述した第１の例および第２の例に限られるものではないことは勿論である。
【０１００】
［音量補正装置の第２の実施形態］
上述した第１の実施形態では、臨場音主体信号については音量補正は行わないゲイン制御態様とした。しかし、例えばチャンネル切り替えによる入力音声信号のレベル変動が大きい場合など、この臨場音主体信号についても、声主体信号と共に、ゲイン制御した方が良い場合もある。第２の実施形態は、このような場合に対処することができる例である。
【０１０１】
以下に示す第２の実施形態は、第１の実施形態と同様に、図２に示したテレビ放送受信機における音量補正部１８に適用した場合である。
【０１０２】
図１４は、この第２の実施形態としての音量補正部１８の全体の構成例を示すブロック図である。この図１４において、図１に示した第１の実施形態の音量補正部１８の場合と同一部分には、同一符号を付すこととする。
【０１０３】
この第２の実施形態においては、加算部２２，２３からの左右チャンネルの臨場音主体信号ＳｓＬ，ＳｓＲに対しては、第１の実施形態における固定ゲインのアンプ２５および２６に代えて、可変ゲインアンプ２５０および２６０を設ける。
【０１０４】
また、この第２の実施形態においては、前述した第１の実施形態における声レベル補正ゲイン生成部３０の他に、臨場音主体信号ＳｓＬ，ＳｓＲに対するゲイン制御信号Ｇｓ（臨場音レベル補正ゲイン値）を生成する臨場音レベル補正ゲイン生成部４０を設ける。
【０１０５】
そして、可変ゲインアンプ２５０および２６０に、臨場音レベル補正ゲイン生成部４０からのゲイン制御信号Ｇｓを供給し、左右チャンネルの臨場音主体信号ＳｓＬ，ＳｓＲに対しては、声主体信号Ｓｖとは異なるゲイン制御態様のゲイン制御を行うようにする。
【０１０６】
臨場音レベル補正ゲイン生成部４０は、声レベル補正ゲイン生成部３０からのゲイン制御信号Ｇｖを受けて、このゲイン制御信号Ｇｖに基づく処理を行って、臨場音主体信号をゲイン補正するゲイン制御信号Ｇｓを生成するようにする。
【０１０７】
ゲイン制御信号Ｇｖに対して、何らかの処理を加えるので、ゲイン制御信号Ｇｖによる声主体信号Ｓｖに対するゲイン制御態様と、ゲイン制御信号Ｇｓによる臨場音主体信号ＳｓＬ，ＳｓＲに対するゲイン制御態様とは、異なるものとなる。
【０１０８】
ただし、この場合、ゲイン制御信号Ｇｓによる臨場音主体信号ＳｓＬ，ＳｓＲに対するゲイン制御態様は、入力音声信号の大きなレベル変動に対して即座に追従しないようなものとされる。すなわち、第１の実施形態と同様に、この第２の実施形態においても、声主体信号Ｓｖに対するゲイン制御態様は、入力音声信号のレベル変動に即座に追従して、常に出力レベルを一定にする。しかし、臨場音主体信号ＳｓＬ，ＳｓＲに対するゲイン制御態様は、それとは異なり、入力音声信号の大きなレベル変動に対して即座に追従しない特性のものとされる。
【０１０９】
この第２の実施形態における声主体信号Ｓｖの処理についての構成は、第１の実施形態と全く同様である。したがって、加算部２７および２８に、その一方の入力として供給される声主体信号Ｓｖｃは、出力レベルが一定となるようにする第１のゲイン制御態様でゲイン補正される。このため、課題の欄で述べたように、入力音声信号ＳｉＬ，ＳｉＲに大きなレベル変化があったときには、その変化点において音量レベルに揺れが生じる場合がある。
【０１１０】
一方、この第２の実施形態では、左および右チャンネルの臨場音主体信号ＳｓＬおよびＳｓＲは、可変ゲインアンプ２５０および２６０で、第１のゲイン制御態様とは異なる第２のゲイン制御態様でゲイン制御されて加算部２７および２８に供給される。そして、さらに、この実施形態では、臨場音主体信号ＳｓＬ，ＳｓＲに対するゲイン制御態様は、入力音声信号の大きなレベル変動に対して即座に追従しない特性のものとされている。
【０１１１】
したがって、第１のゲイン制御態様のゲイン制御によって声主体信号について生じる大きなレベル変化点での音量レベルの揺れは、臨場音主体信号については、発生しない。
【０１１２】
このため、加算部２７および２８からの左右チャンネルの出力音声信号ＳｏＬ、ＳｏＲは、補正後声主体信号Ｓｖｃの音量レベルの揺れが、左チャンネルおよび右チャンネルの臨場音主体信号ＳｓＬおよびＳｓＲによりマスキングされるようになる。この結果、声主体信号Ｓｖｃの音量レベルの揺れが、目立たなくなり、聴取者に対する違和感が軽減される。
【０１１３】
［臨場音レベル補正ゲイン生成部４０の構成例］
＜第１の例＞
入力音声信号のレベル変動あるいは声主体信号Ｓｖのレベル変動が大きく、声主体信号Ｓｖの出力レベルのみを一定レベルにゲイン制御したときには、元の入力音声信号に対するバランスが悪化して、違和感を感じる場合がある。
【０１１４】
この第１の例は、この問題を改善する場合の例である。図１５は、この第１の例における臨場音レベル補正ゲイン生成部４０の構成例を示すもので、この第１の例においては、臨場音レベル補正ゲイン生成部４０は、ゲイン値変換テーブル部４１からなる。
【０１１５】
ゲイン値変換テーブル部４１は、声主体信号Ｓｖに対するゲイン制御信号Ｇｖを入力信号として受けて、臨場音主体信号ＳｓＬ，ＳｓＲに対するゲイン制御信号Ｇｓを出力するものであり、ゲイン値変換テーブルメモリ（図示は省略）を有する。
【０１１６】
ゲイン値変換テーブル部４１が備えるゲイン値変換テーブルメモリに記憶されるゲイン値変換テーブル情報の例を説明するための図を図１６に示す。
【０１１７】
声主体信号Ｓｖのレベル変動が小さい場合あるいは入力音声信号全体（センター集中定位信号検出部２１が第１の例の場合）のレベル変動が小さいときには、ゲイン制御信号Ｇｖによる声レベル補正ゲイン値は、Ｇｖ＝１を中心として大きく変化しない。
【０１１８】
このような場合には、前述した臨場音主体信号と、声主体信号とのバランスは、元の入力音声信号から大きく外れてはいないので、違和感が感じられることはない。このため、このようなレベル変動が小さい範囲では、臨場音主体信号ＳｓＬ，ＳｓＲは、第１の実施形態のように、固定ゲイン「１」のアンプを通じて出力してもよい。
【０１１９】
そこで、この図１６の例においては、０．７５≦Ｇｖ≦１．２５の範囲では、臨場音主体信号に対するゲイン制御信号Ｇｓは、常にＧｓ＝１のゲイン値にする。
【０１２０】
そして、入力音声信号のレベル変動あるいは声主体信号Ｓｖのレベル変動が、このような小さいレベル変動範囲から逸脱する場合には、この例では、ゲイン制御信号Ｇｖに対して所定の比を持って、追従して、臨場音主体信号ＳｓＬ，ＳｓＲをゲイン制御する。
【０１２１】
すなわち、図１６の例においては、Ｇｖ＜０．７５となる入力レベルが大きくなる範囲では、Ｇｓ／Ｇｖ＝ｋ１（＝１／０．７５）の関係を持って、ゲイン制御信号Ｇｖから、臨場音主体信号ＳｓＬ，ＳｓＲに対するゲイン制御信号Ｇｓを出力するようにする。
【０１２２】
また、Ｇｖ＞１．２５となる入力レベルが小さくなる範囲では、Ｇｓ／Ｇｖ＝ｋ２（＝２／２．５）の関係を持って、ゲイン制御信号Ｇｖから、臨場音主体信号ＳｓＬ，ＳｓＲに対するゲイン制御信号Ｇｓを出力するようにする。
【０１２３】
このようにすることにより、声レベル補正ゲインが大きく変動した場合でも、臨場音レベル補正ゲインが、声レベル補正ゲインと一定の比を持って追従するので、声主体信号レベルに対する臨場音主体信号レベルのバランスが大きく開いてしまうことを防止できる。したがって、レベル変動が大きい場合においても自然なレベル遷移を実現することができるようになる。
【０１２４】
ゲイン値変換テーブル部４１は、声主体信号Ｓｖに対するゲイン制御信号Ｇｖの値をゲイン値変換テーブルメモリの読み出しアドレス入力として、対応する臨場音主体信号に対するゲイン制御信号Ｇｓを読み出して、出力するように構成できる。
【０１２５】
なお、ゲイン値変換テーブル部４１は、ソフトウエア処理演算による機能手段として構成することもできる。図１７に、その場合におけるソフトウエア処理演算のフローチャートの例を示す。
【０１２６】
ゲイン値変換テーブル部４１は、入力された声主体信号についてのゲイン制御信号Ｇｖのゲイン値を検知する（ステップＳ１０１）。次に、そのゲイン値Ｇｖが、Ｇｖ＜０．７５であるか否か判別し（ステップＳ１０２）、Ｇｖ＜０．７５であると判別したときには、Ｇｓ＝ｋ１×Ｇｖなる演算により臨場音主体信号ＳｓＬ，ＳｓＲに対するゲイン制御信号Ｇｓを算出する（ステップＳ１０３）。
【０１２７】
ステップＳ１０２で、Ｇｖ＜０．７５ではないと判別したときには、Ｇｖ＞１．２５であるか否か判別する（ステップＳ１０４）。そして、Ｇｖ＞１．２５であると判別したときには、Ｇｓ＝ｋ２×Ｇｖなる演算により臨場音主体信号ＳｓＬ，ＳｓＲに対するゲイン制御信号Ｇｓを算出する（ステップＳ１０５）。
【０１２８】
さらに、ステップＳ１０４で、Ｇｖ＞１．２５ではないと判別したときには、０．７５≦Ｇｖ≦１．２５であることを確認して、Ｇｓ＝１とする（ステップＳ１０６）。
【０１２９】
そして、ステップＳ１０３，１０４および１０６の後には、ステップＳ１０１に戻り、以上の処理を繰り返す。
【０１３０】
なお、上述の説明のゲイン値の数値は、一例であり、これに限られるものではないことはいうまでもない。そして、ゲイン値Ｇｖ＝１を中心とするレベル変動が小さい範囲、すなわち、α≦Ｇｖ≦βの範囲においては、上述の例では、１−α＝β−１としたが、１−α≠β−１であっても勿論良い。
【０１３１】
また、Ｇｖ＜αの範囲での比の値ｋ１と、Ｇｖ＞βの範囲での比の値ｋ２も、一例であり、また、ｋ１＝ｋ２であってもよい。
【０１３２】
この第１の例の場合における音量補正処理動作を、図１８の信号波形のタイミングチャートを参照しながら説明する。
【０１３３】
この図１８は、上述の第１の実施形態の説明に用いた図３と同様のものである。すなわち、声主体信号Ｓｖおよび臨場音主体信号ＳｓＬまたはＳｓＲが、図１８（Ａ）および（Ｂ）に示すようなレベル変動を有するとした場合には、ゲイン制御信号Ｇｖによる声主体信号Ｓｖに対する声レベル補正ゲインは、図１８（Ｃ）に示すようなものとなる。
【０１３４】
このゲイン制御信号Ｇｖにより可変ゲインアンプ２４がゲイン制御され、その結果、可変ゲインアンプ２４からの補正後声主体信号Ｓｖｃは、図１８（Ｅ）に示すような一定レベルの信号になるようにされる。
【０１３５】
そして、この例では、臨場音主体信号ＳｓＬおよびＳｓＲに対するゲイン制御信号Ｇｓは、ゲイン制御信号Ｇｖに基づいて上述のように生成されて、図１８（Ｄ）に示すようなものとなる。
【０１３６】
このゲイン制御信号Ｇｓにより可変ゲインアンプ２５０および２６０がゲイン制御される。その結果、可変ゲインアンプ２５０および２６０からの補正後臨場音主体信号ＳｓＬｃおよびＳｓＲｃは、図１８（Ｆ）に示すように、図１８（Ｂ）に示した臨場音主体信号ＳｓＬおよびＳｓＲがゲイン制御されたものとなる。
【０１３７】
なお、上述の説明から明らかなように、この第１の例は、入力音声信号あるいは声主体信号のレベルが大きく変動する場合に有効であり、入力音声信号あるいは声主体信号Ｓｖのレベル変動が小さい場合には、第１の実施形態のままでよい。
【０１３８】
そこで、入力音声信号のレベル変動を検出し、その検出結果を用いて、臨場音主体信号に対するゲイン制御態様を自動的に切り替え制御するように構成することもできる。
【０１３９】
図１９は、その場合の構成例を示すもので、図１９に示すように、左右２チャンネルの入力音声信号ＳｉＬおよびＳｉＲの全体のレベル変動を検出するレベル変動検出部２９を設ける。
【０１４０】
また、この例の臨場音レベル補正ゲイン生成部４０は、第１の実施形態と同様に、臨場音主体信号に対しては、可変ゲインアンプ２５０および２６０のゲイン値を固定ゲイン「１」とする状態と、第２の実施形態のようにゲイン制御する状態とを有する。
【０１４１】
そして、レベル変動検出部２９では、例えば左右２チャンネルの入力音声信号ＳｉＬおよびＳｉＲを加算し、その加算信号についてレベル変動を検出し、その検出結果から、臨場音レベル補正ゲイン生成部４０に切り替え制御信号ＳＷを供給する。
【０１４２】
レベル変動検出部２９は、検出したレベル変動が、予め設定した小レベル範囲であるときには、臨場音レベル補正ゲイン生成部４０に対して、可変ゲインアンプ２５０および２６０のゲイン値を固定ゲイン「１」とする状態にする切り替え制御信号ＳＷを供給する。
【０１４３】
また、レベル変動検出部２９は、検出したレベル変動が、前記小レベル範囲を逸脱したときには、臨場音レベル補正ゲイン生成部４０に対して、可変ゲインアンプ２５０および２６０に、ゲイン制御信号Ｇｓを供給する状態にする切り替え制御信号ＳＷを供給する。
【０１４４】
これにより、この図１９の例によれば、入力音声信号のレベル変動が大きいときには、自動的に第２の実施形態の状態になり、第１の実施形態のみの状態の問題点を回避することができる。
【０１４５】
＜第２の例＞
この第２の例は、臨場音主体信号ＳｓＬおよびＳｓＲに対しては、第１の実施形態の場合や第１の例のように固定ゲインとすることはせず、声主体信号Ｓｖのゲイン制御に合わせて、ゲイン制御するようにする。これにより、全体のバランスを元の入力音声信号のままとして、自然な再生音声とすることができるようにする。
【０１４６】
図２０は、この第２の例における臨場音レベル補正ゲイン生成部４０の構成例を示すもので、この第２の例においては、臨場音レベル補正ゲイン生成部４０は、遅延時定数処理部４２からなる。
【０１４７】
すなわち、この第２の例においては、遅延時定数処理部４２において、声主体信号Ｓｖに対するゲイン制御信号Ｇｖについて遅延時定数処理がなされて、臨場音主体信号ＳｓＬおよびＳｓＲに対するゲイン制御信号Ｇｓが生成される。すなわち、声レベル補正ゲインに遅れて追従する時間遅れ特性を持った臨場音レベル補正ゲインを得ることができる。
【０１４８】
この第２の例の場合における音量補正処理動作を、図２１の信号波形のタイミングチャートを参照しながら説明する。
【０１４９】
この図２１は、上述の第１の例の説明に用いた図１８と同様のものである。すなわち、声主体信号Ｓｖおよび臨場音主体信号ＳｓＬまたはＳｓＲが、図２１（Ａ）および（Ｂ）に示すようなレベル変動を有するとした場合には、ゲイン制御信号Ｇｖによる声主体信号Ｓｖに対する声レベル補正ゲインは、図２１（Ｃ）に示すようなものとなる。
【０１５０】
そして、このゲイン制御信号Ｇｖにより可変ゲインアンプ２４がゲイン制御され、その結果、可変ゲインアンプ２４からの補正後声主体信号Ｓｖｃは、図２１（Ｅ）に示すような一定レベルの信号になるようにされる。
【０１５１】
一方、この第２の例では、臨場音主体信号ＳｓＬ及びＳｓＲに対するゲイン制御信号Ｇｓは、図２１（Ｃ）に示されるゲイン制御信号Ｇｖが遅延時定数処理されて、図２１（Ｄ）に示すように、ゲイン値が所定の時定数を持った時間遅れ特性で変化するものとなる。
【０１５２】
このゲイン制御信号Ｇｓにより可変ゲインアンプ２５０および２６０がゲイン制御されることにより、可変ゲインアンプ２５０および２６０からの補正後臨場音主体信号ＳｓＬｃおよびＳｓＲｃは、図２１（Ｆ）に示すようなものとなる。
【０１５３】
この第２の例によれば、声主体信号Ｓｖを素早く適正レベルに遷移させる瞬間は、臨場音レベル補正ゲインは変化させないで、臨場感が一定に保たれる。また、臨場音主体信号ＳｓＬ、ＳｓＲは、遅れてゆっくりレベルが補正されるようになるので、ゲイン制御により、レベル変化点で大きくレベルを変えることによる違和感を軽減することができる。これにより、自然なレベル遷移を実現することができる。また、声主体信号Ｓｖと臨場音主体信号ＳｓＬ、ＳｓＲとのバランスが、元の入力音声信号のバランスへと収束するので、より自然な自動音量補正を実現できる。
【０１５４】
＜第３の例＞
上述の第２の例は、臨場音主体信号ＳｓＬおよびＳｓＲは、声主体信号Ｓｖのゲイン制御に合わせて、ゲイン制御するようにしたものである。したがって、声主体信号Ｓｖの補正ゲインが、非常に大きくなったり、また、非常に小さくなったときにも、臨場音主体信号ＳｓＬおよびＳｓＲに対する補正ゲインも、それに応じたものとなってしまう。
【０１５５】
この第３の例は、第２の例の変形例であり、上記問題点を改善するものである。
【０１５６】
図２２は、この第３の例における臨場音レベル補正ゲイン生成部４０の構成例を示すもので、遅延時定数処理部４２の他に、上限補正ゲイン生成部４３と、下限補正ゲイン生成部４４とが設けられる。
【０１５７】
上限補正ゲイン生成部４３は、声主体信号Ｓｖについてのゲイン制御信号Ｇｖを入力信号として受け、そのゲイン制御信号Ｇｖに、予め定めた基準値Ｋｕ（Ｋｕ＞１）を掛けて上限補正ゲインＵＬを生成する。この例では、前記基準値Ｋｕは、Ｋｕ＝２とされる。そして、上限補正ゲイン生成部４３は、生成した上限補正ゲインＵＬを、遅延時定数処理部４２に供給する。
【０１５８】
また、下限補正ゲイン生成部４４は、声主体信号Ｓｖについてのゲイン制御信号Ｇｖを入力信号として受け、そのゲイン制御信号Ｇｖに、予め定めた基準値Ｋｂ（Ｋｂ＜１）を掛けて下限補正ゲインＢＬを生成する。この例では、前記基準値Ｋｂは、Ｋｂ＝０．５とされる。そして、下限補正ゲイン生成部４４は、生成した下限補正ゲインＢＬを、遅延時定数処理部４２に供給する。
【０１５９】
この第３の例における遅延時定数処理部４２においても、これに入力される声主体信号Ｓｖに対するゲイン制御信号Ｇｖについて遅延時定数処理を行って、臨場音主体信号に対するゲイン制御信号Ｇｓを得る。ただし、この第３の例においては、遅延時定数処理部４２は、上限補正ゲインＵＬおよび下限補正ゲインＢＬを常に監視し、ゲイン制御信号Ｇｓが、常に、上限補正ゲインＵＬ≧Ｇｓ≧下限補正ゲインＢＬとなるように制限する。
【０１６０】
この第３の例の場合における音量補正処理動作を、図２３の信号波形のタイミングチャートを参照しながら説明する。
【０１６１】
この図２３は、上述の第２の例の説明に用いた図２１と同様のものである。すなわち、声主体信号Ｓｖおよび臨場音主体信号ＳｓＬまたはＳｓＲが、図２３（Ａ）および（Ｂ）に示すようなレベル変動を有するとした場合には、ゲイン制御信号Ｇｖによる声主体信号Ｓｖに対する声レベル補正ゲインは、図２３（Ｃ）に示すようなものとなる。
【０１６２】
そして、このゲイン制御信号Ｇｖにより可変ゲインアンプ２４がゲイン制御され、その結果、可変ゲインアンプ２４からの補正後声主体信号Ｓｖｃは、図２３（Ｅ）に示すような一定レベルの信号になるようにされる。
【０１６３】
一方、この第３の例では、臨場音主体信号ＳｓＬ及びＳｓＲに対するゲイン制御信号Ｇｓは、図２３（Ｃ）に示されるゲイン制御信号Ｇｖが遅延時定数処理されて、図２３（Ｄ）に示すように、ゲイン値が所定の時定数を持った時間遅れ特性で変化するものとなる。そして、図２３（Ｄ）に示されるように、この場合のゲイン制御信号Ｇｓは、上限補正ゲインＵＬより大きくならず、また、下限補正ゲインＢＬより小さくならないように制限される。
【０１６４】
すなわち、図２３（Ｄ）に示すように、時点ｔ１から時点ｔ２までの区間では、ゲイン制御信号Ｇｓは、上限補正ゲインＵＬ≧Ｇｓ≧下限補正ゲインＢＬを満足しているので、第２の例の場合（図２１（Ｄ））と同様となる。
【０１６５】
しかし、時点ｔ２を過ぎた時点になると、下限補正ゲインＢＬが時点ｔ２前の値よりも大きくなり、ゲイン値Ｇｓが当該下限補正ゲインＢＬ以下となってしまう。そこで、遅延時定数処理部４２では、時点ｔ２において、ゲイン値Ｇｓを下限補正ゲインＢＬとし、当該下限補正ゲインＢＬを始点としてゲイン制御信号Ｇｖについての遅延時定数処理を開始するようにする。
【０１６６】
また、図２３の例では、時点ｔ３を過ぎた時点になると、上限補正ゲインＵＬが時点ｔ３前の値よりも低くなり、ゲイン値Ｇｓが当該上限補正ゲインＵＬ以上となってしまう。そこで、遅延時定数処理部４２では、時点ｔ３において、ゲイン値Ｇｓを上限補正ゲインＵＬとし、当該上限補正ゲインＵＬを始点としてゲイン制御信号Ｇｖについての遅延時定数処理を開始するようにする。
【０１６７】
このゲイン制御信号Ｇｓにより可変ゲインアンプ２５０および２６０がゲイン制御されることにより、可変ゲインアンプ２５０および２６０からの補正後臨場音主体信号ＳｓＬｃおよびＳｓＲｃは、図２３（Ｆ）に示すようなものとなる。
【０１６８】
この第３の例によれば、声主体信号レベルに対して臨場音主体信号のレベルが大きく開いてしまうことがないため、声レベルの変化量が多い場合にも自然なレベル遷移を実現することができるようになる。また、声主体信号Ｓｖと臨場音主体信号ＳｓＬ、ＳｓＲとのバランスが、オリジナルバランスへと収束するため、より自然な自動音量補正を実現できる。
【０１６９】
さらに、声主体信号Ｓｖの補正ゲインが、非常に大きくなったり、また、非常に小さくなったときにも、臨場音主体信号ＳｓＬおよびＳｓＲに対する補正ゲインＧｓは、所定のレベル範囲に制限されるので、これも、自然な自動音量補正の実現に寄与する。
【０１７０】
なお、上述の第３の例の説明では、上限補正ゲインと、下限補正ゲインの両方を設定するようにしたが、そのいずれか一方のみを設定して、ゲインレベル範囲制限を行うようにしても良い。
【０１７１】
なお、上述の説明では、臨場音レベル補正ゲイン生成部４０の第１の例〜第３の例は、それぞれ単独で設けて、臨場音主体信号に対するゲイン制御信号Ｇｓを生成するようにした。しかし、第１の実施形態における臨場音主体信号については、固定ゲイン「１」にする場合と、前述の臨場音レベル補正ゲイン生成部４０の第１の例〜第３の例との４種をそれぞれ音量補正部１８に設けておき、それを切り替えることができるようにしてもよい。
【０１７２】
その切り替え方法としては、操作手段に切り替え操作部を設け、ユーザが適宜、手動で切り替える方法の他、次のように自動的に切り替える方法を採用することができる。
【０１７３】
例えば、テレビ放送信号に含まれるＥＰＧ（Electronic  Programming  Guide；電子番組ガイド）情報を用いて自動切り替えする方法を採用できる。すなわち、例えばドラマ、スポーツ、バラエテイーなどの放送番組のジャンルに対して、臨場音レベル補正ゲイン生成部４０の４種の例のうちの最適と考えられる方法を対応つけるテーブルを作成しておく。そして、テレビ放送信号からＥＰＧ情報を検出して、放送番組のジャンルを検出し、前記テーブルを参照することで、４種のうちの最適な臨場音レベル補正ゲイン生成手法に切り替え設定するようにする。
【０１７４】
また、例えばＤＶＤコンテンツに、予め、前記４種のうちの最適な臨場音レベル補正ゲイン生成手法を特定する識別情報を記録しておく。一方、ＤＶＤ再生装置には、この識別情報と、４種の臨場音レベル補正ゲイン生成手法との対応情報を保持するようにする。そして、再生時に、ＤＶＤ再生装置は、ＤＶＤから前記識別情報を取得し、その取得した識別情報により前記対応情報を参照することで、いずれの臨場音レベル補正ゲイン生成手法を用いるかを決定するようにする。
【０１７５】
なお、ＥＰＧ情報の一部に、放送番組毎に同様の臨場音レベル補正ゲイン生成手法を特定する識別情報を含めておくことにより、テレビ放送番組についても、同様にして、いずれの臨場音レベル補正ゲイン生成手法を用いるかを決定するようにすることができる。
【０１７６】
［他の実施形態］
＜他の分離例＞
上述の第１、第２の実施形態では、第１成分主体信号は、声主体信号とし、他の成分を主体とする信号は、臨場音主体信号としたが、この発明は、このような分離の方法に限られるわけではない。例えば、入力音声信号の中域成分と、当該中域成分以外の帯域成分とに分離し、それぞれに対して、互いに異なる第１のゲイン制御態様および第２のゲイン制御態様のゲイン制御を行うようにすることもできる。
【０１７７】
また、以上の実施形態では、音声信号は、左右２チャンネルの場合であったが、この発明の音量補正対象の音声信号は、モノーラル音声信号であっても良いことは言うまでもない。
【０１７８】
図２４は、入力音声信号の他の分離例を示すものであり、モノーラルの入力音声信号を上記のように周波数帯域により分離する例である。なお、この図２４の例は、上述した第２の実施形態に適用した場合の例である。第１の実施形態に適用することも勿論できる。
【０１７９】
すなわち、図２４に示すように、この例の場合の分離部５０においては、モノーラル入力音声信号Ｓｉは、音声信号の中域成分を抽出するためのバンドパスフィルタ５１に供給されて、これより音声信号の中域成分のみからなる中域主体信号Ｓｍを得る。この中域主体信号Ｓｍは、可変ゲインアンプ５３に供給される。
【０１８０】
そして、バンドパスフィルタ５１からの中域主体信号Ｓｍを、減算部５２に供給して、入力音声信号Ｓｉから減算することにより、入力音声信号Ｓｉの高域・低域成分主体信号Ｓｈｌを得る。この高域・低域成分主体信号Ｓｈｌは、可変ゲインアンプ５４を通じて加算部５５に供給される。
【０１８１】
そして、この例においては、バンドパスフィルタ５１からの中域主体信号Ｓｍを中域レベル補正ゲイン生成部５６に供給する。中域レベル補正ゲイン生成部５６は、この例では、中域主体信号Ｓｍの平均レベルを検出し、当該平均レベルが基準レベルとなるようにすることにより、中域主体信号Ｓｍの出力レベルを一定レベルとするようにするためのゲイン制御信号Ｇｍを生成する。このゲイン制御信号Ｇｍは、中域レベル補正ゲインとなる。
【０１８２】
そして、中域レベル補正ゲイン生成部５６は、生成したゲイン制御信号Ｇｍを可変ゲインアンプ５３に供給して、中域主体信号Ｓｍを、その出力レベルを一定レベルとするようにゲイン制御する。
【０１８３】
また、この例では、中域レベル補正ゲイン生成部５６で生成されたゲイン制御信号Ｇｍは、高域・低域レベル補正ゲイン生成部５７に供給される。高域・低域レベル補正ゲイン生成部５７では、上述した第２の実施形態の場合と同様にして、高域・低域主体信号についてのゲイン制御信号Ｇｈｌ（高域・低域レベル補正ゲイン）を生成する。
【０１８４】
そして、高域・低域レベル補正ゲイン生成部５７は、生成したゲイン制御信号Ｇｈｌを可変ゲインアンプ５４に供給して、高域・低域主体信号Ｓｈｌを、上述した第２の実施形態と同様にして、ゲイン制御する。
【０１８５】
こうして、加算部５５からは、第１のゲイン制御態様でゲイン補正された中域主体信号と、第２のゲイン制御態様でゲイン補正された高域・低域主体信号とが加算された出力音声信号Ｓｏが得られる。
【０１８６】
したがって、この図２４の例においても、上述の実施形態と同様にして、ゲイン制御による音量レベルの揺れを目立たなくした自動音量補正ができる。
【０１８７】
音声信号の分離例としては、この図２４の他にも、例えば低域と高域との２つに周波数帯域分離する方法など、その他種々のものが可能である。また、２つに分離するのではなく、３つ以上に分離するようにして良い。その場合、３つ以上の信号成分のうちの１つについては第１のゲイン制御態様とし、他の信号成分のすべてについては第２のゲイン制御態様とするようにしてもよいし、他の信号成分についても、２つ以上の異なるゲイン制御態様とするようにしても良い。
【０１８８】
＜マルチチャンネルの場合＞
また、最近は、音声信号は５．１チャンネルのサラウンド音声信号など、３チャンネル以上のマルチチャンネルの場合もある。このようなマルチチャンネルの場合には、入力音声信号は、既に分離されていることになる。そして、マルチチャンネルのうちに、センターチャンネルが存在する場合には、当該センターチャンネルを上述の実施形態の声主体信号とすることができる。
【０１８９】
図２５は、入力音声信号が５．１チャンネルのサラウンド音声信号である場合における音量補正装置の概要を説明するための図である。
【０１９０】
すなわち、この例においては、前方左右チャンネルの音声信号ＦＬｉ，ＦＲｉは、可変ゲインアンプ６１，６２に供給される。また、後方左右チャンネルの音声信号ＲＬｉ，ＲＲｉは、可変ゲインアンプ６３，６４に供給される。また、センターチャンネルの音声信号Ｃｉは、可変ゲインアンプ６５に供給される。さらに、低域専用チャンネルの音声信号ＬＦＥ（Ｌｏｗ  Ｆｒｅｑｕｅｎｃｙ  Ｅｆｆｅｃｔ）は、可変ゲインアンプ６６に供給される。
【０１９１】
センターチャンネルの音声信号Ｃｉは、また、声レベル補正ゲイン生成部６７に供給される。この声レベル補正ゲイン生成部６７は、図１４に示した声レベル補正ゲイン生成部３０と同様の構成を備え、ゲイン制御信号Ｇｖを生成する。そして、声レベル補正ゲイン生成部６７で生成されたゲイン制御信号Ｇｖは、センターチャンネル用の可変ゲインアンプ６５に供給される。
【０１９２】
声レベル補正ゲイン生成部６７で生成されたゲイン制御信号Ｇｖは、また、臨場音レベル補正ゲイン生成部６８に供給される。この臨場音レベル補正ゲイン生成部６８は、図１４に示した臨場音レベル補正ゲイン生成部４０と同様の構成を備え、ゲイン制御信号Ｇｓを生成する。そして、臨場音レベル補正ゲイン生成部６８で生成されたゲイン制御信号Ｇｓは、センターチャンネル以外用の可変ゲインアンプ６１〜６４、６６に供給される。
【０１９３】
そして、可変ゲインアンプ６１〜６６のそれぞれから出力音声信号ＦＬｏ、ＦＲｏ、ＲＬｏ、ＲＲｏ、Ｃｏ、ＬＦｏが得られ、それぞれ用のスピーカにより放音されるようにされる。
【０１９４】
この図２５の例によれば、５．１チャンネルの入力音声信号ＦＬｉ、ＦＲｉ、ＲＬｉ、ＲＲｉ、Ｃｉ、ＬＦｉのうちのセンターチャンネルの音声信号Ｃｉが、ゲイン制御信号Ｇｖにより第１のゲイン制御態様でゲイン制御される。一方、５．１チャンネルの入力音声信号ＦＬｉ、ＦＲｉ、ＲＬｉ、ＲＲｉ、Ｃｉ、ＬＦｉのうちのセンターチャンネル以外の音声信号は、ゲイン制御信号Ｇｓにより、前記第１のゲイン制御態様とは異なる第２のゲイン制御態様でゲイン制御される。
【０１９５】
そして、５．１チャンネルの出力音声信号ＦＬｏ、ＦＲｏ、ＲＬｏ、ＲＲｏ、Ｃｏ、ＬＦｏが、それぞれ別々のスピーカにより音響再生されて、音響的に合成されることにより、第１のゲイン制御態様による音揺れが軽減され、違和感を生じないものとなる。
【０１９６】
なお、図２５の例においては、センターチャンネル以外の音声信号は、すべてゲイン制御信号Ｇｓにより、第２のゲイン制御態様でゲイン制御するようにしたが、各チャンネル毎に、異なる他のゲイン制御態様で、それぞれゲイン制御するようにしても良い。また、センターチャンネル以外の音声信号を２つ以上にグループ分けし、そのグループ毎に異なるゲイン制御態様でゲイン制御するようにしても良い。
【０１９７】
なお、５．１チャンネルのマルチチャンネルの音声信号がダウンミックスされて、２チャンネルとして２個のスピーカで音響再生する場合もある。その場合には、ダウンミックスの結果得られた２チャンネルの音声信号に対して、上述した第１の実施形態または第２の実施形態を適用すればよい。
【０１９８】
また、ダウンミックスを行う場合においても、５．１チャンネルの音声信号のセンターチャンネルの音声信号を用いて、ゲイン制御する図２６に示すような構成としても良い。
【０１９９】
図２６は、入力音声信号が５．１チャンネルのサラウンド音声信号がダウンミックスされて、出力が２チャンネルとされる場合における音量補正装置の実施形態の概要を説明するための図である。なお、この図２４の例は、上述した第２の実施形態に適用した場合の例である。第１の実施形態に適用することも勿論できる。
【０２００】
すなわち、図２６の例においては、５．１チャンネルのサラウンド音声信号ＦＬｉ、ＦＲｉ、ＲＬｉ、ＲＲｉ、Ｃｉ、ＬＦｉのそれぞれが、ダウンミックス部７１に供給されて、左右２チャンネルの音声信号Ｌｉ，Ｒｉとされる。また、この例においては、ダウンミックス部７１は、センターチャンネルの音声信号Ｃｉは、そのまま出力する。
【０２０１】
このダウンミックス部７１からの左右２チャンネルの音声信号Ｌｉ，Ｒｉは、それぞれ可変ゲインアンプ７２，７３に供給される。そして、この可変ゲインアンプ７２および７３の出力信号は、加算部７７および７８に供給される。
【０２０２】
また、ダウンミックス部７１からのセンターチャンネルの音声信号Ｃｉは、可変ゲインアンプ７４に供給される。そして、この可変ゲインアンプ７４の出力信号が加算部７７及び７８に供給される。この加算部７７および７８から、２チャンネル出力音声信号ＳｏＬおよびＳｏＲを出力する。
【０２０３】
ダウンミックス部７１からのセンターチャンネルの音声信号Ｃｉは、さらに、声レベル補正ゲイン生成部７５に供給される。この声レベル補正ゲイン生成部７５は、図１４に示した声レベル補正ゲイン生成部３０と同様の構成を備え、ゲイン制御信号Ｇｖを生成する。そして、声レベル補正ゲイン生成部７５で生成されたゲイン制御信号Ｇｖは、センターチャンネル用の可変ゲインアンプ７４に供給される。
【０２０４】
声レベル補正ゲイン生成部７５で生成されたゲイン制御信号Ｇｖは、また、臨場音レベル補正ゲイン生成部７６に供給される。この臨場音レベル補正ゲイン生成部７６は、図１４に示した臨場音レベル補正ゲイン生成部４０と同様の構成を備え、ゲイン制御信号Ｇｓを生成する。そして、臨場音レベル補正ゲイン生成部７６で生成されたゲイン制御信号Ｇｓは、可変ゲインアンプ７２、７３に供給される。
【０２０５】
この図２６の例においても、上述と同様の作用効果を奏する。
【０２０６】
＜非リアルタイム処理＞
以上の実施形態は、入力音声信号について、リアルタイムで声平均レベルや声以外平均レベルを検出して、ゲイン制御するようにした場合である。しかし、この発明は、リアルタイム処理の場合のみに適用されるわけではない。
【０２０７】
例えば記録媒体に記録された音声信号について、ゲイン制御信号ＧｖやＧｓを生成して、それを記録信号に対応付けて記録するようにすることもできる。その場合には、再生時には、当該記録されているゲイン制御信号ＧｖやＧｓを用いて、再生音声信号を音量制御するようにすることができる。
【０２０８】
図２７は、例えばハードディスクやＤＶＤ（Ｄｉｇｉｔａｌ  Ｖｅｒｓａｔｉｌｅ  Ｄｉｓｃ）などの記録媒体に、テレビ放送信号を記録することができる記録再生装置に、この発明を適用した場合のブロック図である。
【０２０９】
すなわち、この図２７の例の記録再生装置８０においては、放送記録系８１と、再生系８２と、レベル補正ゲイン生成部８３と、制御部８４と、操作部８５とを備える。操作部８５は、例えばリモコン送受信部からなる。制御部８４は、例えばマイクロコンピュータを搭載して構成され、操作部８５からの操作入力に応じた制御を、記録再生装置８０の各部に対して行う。
【０２１０】
レベル補正ゲイン生成部８３は、上述した図１に示した第１の実施形態を適用した場合であれば、センター集中定位信号検出部２１と、声レベル補正ゲイン生成部３０からなる。また、上述の図１４に示した第２の実施形態を適用した場合であれば、センター集中定位信号検出部２１と、声レベル補正ゲイン生成部３０と、臨場音レベル補正ゲイン生成部４０とからなる。
【０２１１】
操作部８５を通じてユーザにより記録指示操作があると、制御部８４は、放送記録系８１を制御して、記録指示された放送番組の記録を実行する。
【０２１２】
放送記録系８１においては、放送受信部８１１で記録指示された放送番組の放送波信号を受信し、デコード部８１２に供給する。デコード部８１２では、この例では、受信信号から映像信号Ｖ１と、音声信号Ａ１とがデコードされて出力される。ここで、音声信号Ａ１は、例えば左右２チャンネル音声信号とされる。
【０２１３】
このデコード部８１２からの映像信号Ｖ１および音声信号Ａ１は、記録エンコード部８１３で記録エンコードされた後、書き込み部８１５を通じて記録媒体８１６に記録される。記録媒体８１６は、例えばハードディスク装置が用いられる。
【０２１４】
操作部８５には、この例では、記録媒体８１６に記録されている放送番組コンテンツを指定するためのキーおよびレベル補正ゲイン生成指示キーが設けられている。ユーザにより、記録されている放送番組コンテンツの指定がなされ、レベル補正ゲイン生成指示キーが操作されると、制御部８４は、指定された放送番組コンテンツの音声信号についての再生音量を適正にするためのレベル補正ゲイン生成処理を実行するようにする。
【０２１５】
すなわち、制御部８４は、前記レベル補正ゲイン生成指示キーの操作入力に基づき、再生系の読み出し部８２１と、再生デコード部８２２と、レベル補正ゲイン生成部８３および書き込み部８１５を動作状態に制御する。
【０２１６】
そして、制御部８４は、読み出し部８２１を制御して、記録媒体８１６から指定された放送番組の記録信号を読み出す。読み出し部８２１は、読み出した記録信号を再生デコード部８２２に供給する。再生デコード部８２２は、記録信号を再生デコードして、再生映像信号Ｖ２および再生音声信号Ａ２を出力する。
【０２１７】
この再生デコード部８２２からの再生音声信号Ａ２は、レベル補正ゲイン生成部８３に供給される。このレベル補正ゲイン生成部８３では、上述の第１の実施形態または第２の実施形態で説明したようにして、ゲイン制御信号ＧｖやＧｓが生成される。
【０２１８】
そして、レベル補正ゲイン生成部８３は、生成したゲイン制御信号ＧｖやＧｓを書き込み部８１５に供給する。書き込み部８１５は、制御部８４の制御を受けながら、レベル補正ゲイン生成部８３からのゲイン制御信号ＧｖやＧｓを、再生中の記録信号に対応付けて記録媒体８１６に記録するようにする。
【０２１９】
次に、操作部８５を通じてユーザにより再生指示操作があると、制御部８４は、再生系８２を制御して、再生指示された放送番組の再生を実行する。
【０２２０】
すなわち、制御部８４は、読み出し部８２１を制御して、記録媒体８１６から指定された放送番組の記録信号と、対応付けられて記録されているゲイン制御信号ＧｖやＧｓとを読み出す。読み出し部８２１は、読み出した記録信号を再生デコード部８２２に供給すると共に、読み出したゲイン制御信号ＧｖやＧｓをゲイン制御信号再生部８２６に供給する。
【０２２１】
再生デコード部８２２は、記録信号を再生デコードして、再生映像信号Ｖ２および再生音声信号Ａ２を得る。そして、再生映像信号Ｖ２を映像信号処理部８２３を通じ、映像出力端８２７を通じて出力する。出力端８２７には、表示装置が接続され、その表示画面に、放送番組の再生映像が映出される。
【０２２２】
また、再生デコード部８２２からの再生音声信号は、音声信号処理部８２４を通じて音量補正部８２５に供給される。この音量補正部８２５は、図１の第１の実施形態の場合であれば、声レベル補正ゲイン発生部３０が除去された構成とされ、また、図１４の第２の実施形態の場合であれば、声レベル補正ゲイン発生部３０および臨場音レベル補正部４０が除去された構成とされる。
【０２２３】
一方、ゲイン制御信号再生部８２６では、読み出し部８２１からの信号から、ゲイン制御信号ＧｖやＧｓが再生される。そして、ゲイン制御信号再生部８２６は、再生したゲイン制御信号ＧｖやＧｓを音量補正部８２５に供給して、上述の実施形態で説明したようにしてゲイン制御するようにする。したがって、音量補正部８２５から得られる音声信号は、上述した第１の実施形態および第２の実施形態と同様にして、自動音量補正しても違和感の生じないものとなる。
【０２２４】
この音量補正部８２５からの再生音声信号は、音声出力端８２８を通じて、スピーカに供給される。
【０２２５】
なお、この図２７の例においては、レベル補正ゲイン生成部８３では、上述した第１の実施形態または第２の実施形態と同様の構成としたが、この図２７の例は、リアルタイム処理である必要は無いので、処理時間はかかるが、より高精度の構成とすることもできる。
【０２２６】
例えば、記録再生装置８０が、十分なバッファ容量および処理能力を持った構成である場合には、音声信号の自己相関をとりながら、ピッチ検出をして人声信号が含まれる人声主体信号を検出するようにすることもできる。また、ＦＦＴ（Ｆａｓｔ  Ｆｏｕｒｉｅｒ  Ｔｒａｎｓｆｏｒｍ）によるスペクトル包絡のケプストラム解析を行なうなどして、より、精密に、人声信号が含まれる人声主体信号を検出することもできる。
【０２２７】
なお、図２７の例では、非リアルタイムでの処理においては、ゲイン制御信号ＧｖやＧｓを生成して、記録信号に対応付けて記録するようにした。しかし、記録信号のうちの音声信号に対して、非リアルタイム処理により、上述のようなゲイン制御による音量補正処理を実行し、当該音量補正処理をした音声信号を、記録媒体に記録する（記録し直す）ようにしてもよい。この場合には、上述のような高精度の構成を用いて音声信号についてのゲイン制御ができる。
【０２２８】
また、図２７の例は、音声信号について非リアルタイム処理でゲイン制御信号を生成する記録再生装置であるが、記録する音声信号に対して、上述した第１の実施形態や第２の実施形態を適用して、リアルタイムで音量補正処理をする記録再生装置としても良い。
【０２２９】
その場合の記録再生装置は、デコード部８１２でデコードした音声信号について、上述した第１の実施形態や第２の実施形態を適用してリアルタイムで音量補正処理をする。そして、その音量補正した音声信号を記録エンコード部８１３を通じて記録するようにする。このようにする記録再生装置の場合には、ゲイン制御信号ＧｖやＧｓを記録信号に対応付けて記録する必要はないので、レベル補正ゲイン生成部８３は不要となる。また、再生系８２にレベル補正ゲイン抽出部８２６や音量補正部８２５を設ける必要はない。
【０２３０】
［その他の実施形態ないし変形例］
上述の第１および第２の実施形態では、声レベル補正ゲイン生成部３０では、声主体信号の平均レベルが基準値となるようにすることにより、声主体信号の出力レベルを一定レベルにするようにした。しかし、声主体信号についてのゲイン制御態様としては、入力音声信号の全体レベルが基準値となるようなゲイン制御であってもよい。
【０２３１】
なお、上述の第２の実施形態では、声レベル補正ゲイン生成部３０からの出力ゲイン制御信号Ｇｖを、臨場音レベル補正ゲイン生成部４０に供給して、ゲイン制御信号Ｇｖに対して更なる処理を加えることで、ゲイン制御態様を変更するようにした。しかし、第１のゲイン制御態様と、第２のゲイン制御態様とは、このような従属関係にする必要はない。要は、第１成分主体信号についての第１のゲイン制御態様と、第１成分以外の他の音声成分主体信号についての第２のゲイン制御態様とが、上述の例のように異なる態様であればよい。
【０２３２】
また、分離部における音声分離の他の方法についても説明したように、声主体信号は第１成分主体信号の一例であり、臨場音主体信号は、第１成分以外の他の音声成分主体信号の一例である。第１成分主体信号と第１成分以外の他の音声成分主体信号とは、入力音声信号における、その他、種々の信号を対象とすることができる。上述のマルチチャンネルの１つのチャンネルを第１成分主体信号とし、他のチャネルを第１成分以外の他の音声成分主体信号とするのも、その一例である。
【０２３３】
なお、上述の説明では、センター集中定位信号検出部２１や声レベル補正ゲイン生成部３０、臨場音レベル補正ゲイン生成部４０は、デスクリートの回路部からなるハードウエア構成としたが、ＤＳＰ（Digital  Signal  Processor）を用いた構成としてもよい。
【０２３４】
また、センター集中定位信号検出部２１や声レベル補正ゲイン生成部３０、臨場音レベル補正ゲイン生成部４０は、コンピュータのプログラムによるソフトウエア処理の構成とすることもできることは言うまでもない。その場合には、例えば図２の例においては、声レベル補正ゲイン生成部３０や臨場音レベル補正ゲイン生成部４０は、制御部１０がソフトウエア処理機能として備える。そして、図２において、点線で示したように、この制御部１０からのゲイン制御信号により、音量補正部１８が備える可変ゲインアンプをゲイン制御する。
【０２３５】
なお、音声信号を、デジタル信号処理とするのであれば、可変ゲインアンプを含めた音量補正部１８の全てをソフトウエア処理として構成することもできるものである。
【０２３６】
なお、この発明による音量補正装置が適用される電子機器は、図２に示したテレビ放送受信装置に限られるものではないことは言うまでもない。
【符号の説明】
【０２３７】
２０，５０…分離部、２１…センター集中定位信号検出部、２４，２５０，２６０…可変ゲインアンプ、２５，２６…固定ゲインアンプ、３０…声レベル補正ゲイン生成部、４０…臨場音レベル補正ゲイン生成部、２７，２８…加算部
【図１】
2011135600.tif 000003
【図２】
2011135600.tif 000004
【図３】
2011135600.tif 000005
【図４】
2011135600.tif 000006
【図５】
2011135600.tif 000007
【図６】
2011135600.tif 000008
【図７】
2011135600.tif 000009
【図８】
2011135600.tif 000010
【図９】
2011135600.tif 000011
【図１０】
2011135600.tif 000012
【図１１】
2011135600.tif 000013
【図１２】
2011135600.tif 000014
【図１３】
2011135600.tif 000015
【図１４】
2011135600.tif 000016
【図１５】
2011135600.tif 000017
【図１６】
2011135600.tif 000018
【図１７】
2011135600.tif 000019
【図１８】
2011135600.tif 000020
【図１９】
2011135600.tif 000021
【図２０】
2011135600.tif 000022
【図２１】
2011135600.tif 000023
【図２２】
2011135600.tif 000024
【図２３】
2011135600.tif 000025
【図２４】
2011135600.tif 000026
【図２５】
2011135600.tif 000027
【図２６】
2011135600.tif 000028
【図２７】
2011135600.tif 000029
【図２８】
2011135600.tif 000030